(57)【要約】 【課題】本考案は、仏像に関する考案である。【解決手段】本考案は、写真立てを備えた土台部と、前記土台部の上部に連結され上面に仏像本体及び光背を取り付けた蓮華座からなる仏像において、土台部に音声再生装置を内蔵したことを特徴とする仏像と、人の動きに反応し接続された音声再生装置を駆動させるセンサーを備えた蓮華座からなる仏像と、蓮華座と土台部の間に間隙を設けたことを特徴とする仏像と、仏像本体を立像又は座像のいずれかとしたこと特徴とする仏像と、リモコン又はスイッチのいずれかによって駆動する音声再生装置としたことを特徴とする仏像と、写真立てに経本を収納することを可能としたことを特徴とする仏像の構成とした。【選択図】  図１
0003138554.tif 000002
【実用新案登録請求の範囲】
【請求項１】
写真立てを備えた土台部と、前記土台部の上部に連結され上面に仏像本体及び光背を取り付けた蓮華座からなる仏像において、土台部に音声再生装置を内蔵したことを特徴とする仏像。
【請求項２】
人の動きに反応し接続された音声再生装置を駆動させるセンサーを備えた蓮華座からなる請求項１に記載の仏像。
【請求項３】
蓮華座と土台部の間に間隙を設けたことを特徴とする請求項１又は請求項２に記載の仏像。
【請求項４】
仏像本体を立像又は座像のいずれかとしたこと特徴とする請求項１乃至請求項３に記載の仏像。
【請求項５】
リモコン又はスイッチのいずれかによって駆動する音声再生装置４ｌとしたことを特徴とする請求項１乃至請求項４に記載の仏像。
【請求項６】
写真立てに経本を収納することを可能としたことを特徴とする請求項１乃至請求項５に記載の仏像。
【考案の詳細な説明】
【技術分野】
【０００１】
本考案は、仏像に関する考案である。
【背景技術】
【０００２】
従来、仏像は人間や仏の形状に彫ったものやその仏像にカセットテープレコーダー等の音声再生装置を取付けて予めテープに録音されていたお経等を再生することが出来るものがあった。
【０００３】
しかしながら、従来の仏像では一般の人にとって仏像に対してお経を挙げることが難しく、仏壇などに載置しても手を合わせることしか出来なかった。
【０００４】
また、前記のような問題を解決するために特許文献１に示したような音声再生装置を備えた仏像も存在するが、仏像に対して音声発生装置が占める割合が高く、外観においても神聖性に欠けるものであった。
【０００５】
更に、仏像に対してお経を挙げる意味合いが強く、仏壇の故人に対してもお経を挙げたい場合には違和感が残るものであった。
【特許文献１】実開平２−１０７３８３号公報
【考案の開示】
【考案が解決しようとする課題】
【０００６】
そこで、本考案は、仏像及び故人に対して容易に正しいお経を挙げることができ、また仏像の神聖性を損なうことが無く、更に他宗派に対応することができる仏像を提供することを目的とするものである。
【課題を解決するための手段】
【０００７】
本考案は、上記の課題を解決するために、写真立て６を備えた土台部４と、前記土台部４の上部に連結され上面に仏像本体２及び光背５を取り付けた蓮華座３からなる仏像１において、土台部４に音声再生装置４ｌを内蔵したことを特徴とする仏像１と、
人の動きに反応し接続された音声再生装置４ｌを駆動させるセンサー３ｂを備えた蓮華座３からなる仏像と、
蓮華座３と土台部４の間に間隙４ｆを設けたことを特徴とする仏像と、
仏像本体を立像又は座像のいずれかとしたこと特徴とする仏像と、
リモコン又はスイッチのいずれかによって駆動する音声再生装置４ｌとしたことを特徴とする仏像と、
写真立てに経本を収納することを可能としたことを特徴とする仏像の構成とした。
【考案の効果】
【０００８】
本考案の仏像は写真立てを備えているため仏像及び仏壇の故人に対してお経を挙げている感覚を持って違和感なく利用することが出来る。
【０００９】
また、音声再生装置を内部に備えているため仏像の外観はそのままとし、神聖性を損なうことがない。
【００１０】
更に録音されている音声を変えることにより他宗派に対応することができる。
【考案を実施するための最良の形態】
【００１１】
仏像や故人に対して簡単に違和感なく正しいお経を挙げるという目的を、仏像内部に音声再生機構を備え、取り外し可能な写真立てを備えることによって実現した。
【実施例１】
【００１２】
図１は本考案である仏像の正面図、図２は仏像の背面図、図３は仏像の平面図、図４は仏像の右分解側面図、図５は仏像の底面図、図６は仏像の土台部正面図である。
【００１３】
図１から図５に示すように、本考案である仏像１は、上面中央に仏像本体２と上面の前側にセンサー３ｂを備え外周面に無数の装飾３ａを施した円柱形状の蓮華座３と、
内部に音声再生装置４ｌを備え上面に複数のスピーカー４ｅを取付けコード４ｈを介してスイッチ４ｇを接続し下面に複数の脚４ｂを備え更に側面に孔４ｃを穿設した円柱形状の下土台４ａを間隙４ｆを設けて下部に連設し上面中央に前記蓮華座３の下面と接続するための軸４ｄを備えた土台部４と、
前記蓮華座３の上面後部に連結するための突起５ａを下面中央に形成した光背５と、
前記土台部４の孔４ｃに挿通する突起６ｄを形成した写真立て土台６ａを下部に連設し写真の左右辺を挿通するためのスリット６ｂを形成した写真立て６とからなる。
【００１４】
前記仏像本体２は、図１に示すように大仏の形状をした彫り物であるが、この仏像本体２については特に大仏に限定したものではなく、お釈迦様や七福神など様々な土地で信仰されているものの形状であっても良く、また立像や座像であっても良い。
【００１５】
図１から図４に示すように、前記蓮華座３は円柱形状をしており外周面に無数の装飾３ａを施している。また、上面中央には円柱形の軸３ｃが起立して設けられており、前記仏像本体２の底面中央に穿設した孔に陥入することで蓮華座３と仏像本体２を連結することが出来る。
【００１６】
更に蓮華座３の上面の前側にはセンサー３ｂが取り付けられており、上面の後側には孔３ｄが穿設されている。前記センサー３ｂは土台部４内の音声再生装置４ｌに接続されておりセンサー３ｂが人の存在に反応した場合に音声再生装置４ｌが音声を再生する仕組みとなっている。
【００１７】
尚、前記センサー３ｂは音に反応するセンサーを使用してもよく、その場合、仏像１前に座っている人の拍手の音に反応させて音声が再生する仕組みとする。また、前記センサー３ｂをリモコンに反応するものを使用してもよく、その場合、離れた位置からリモコンを操作することでセンサー３ｂが関知し音声再生装置４ｌが作動する。
【００１８】
前記孔３ｄは仏像本体２の背面に取り付けられる光背５を取り付けるための孔であり、光背５の下部に形成された突起５ａを孔３ｄに挿入することで蓮華座３と光背５を連結することが出来る。
【００１９】
本考案の仏像１では仏像本体２が大仏の形状をしているため、仏像本体２の載置される部分を蓮華座３としたが、前述のように仏像本体２を大仏の形状ではなくお釈迦様や七福神など他の形状をした信仰対象とする場合は、信仰対象に合った形状としてもよい。
【００２０】
図１から図６に示すように、土台部４は上面中央に軸４ｄを設けて外周面に装飾を施しており、下面に複数の脚４ｂを取り付け側面に孔４ｃを穿設した円柱状の下土台４ａを下部に連設している。前記土台部４と下土台４ａは間隙４ｆを設けて連設されている。
【００２１】
前記下土台４ａの上面には複数のスピーカー４ｅが取り付けられており、更に内部に音声再生装置４ｌが内包されている。前記音声再生装置４ｌが再生する内容がスピーカー４ｅより良く聞こえるようにスピーカー４ｅは下土台４ａの外周近くに取り付けられており、更に下土台４ａと土台部４の間には間隙４ｆが設けている。
【００２２】
また、前記下土台４ａの底面は蓋４ｉとなっており、蓋４ｉを取り外すと音声再生装置４ｌを取り出すことが出来る。音声再生装置４ｌについては、信仰対象や宗派により再生できるお経を変える必要があり、音声再生装置４ｌごと取り替えるてもよく、また音声再生装置４ｌをお経を記録したチップ交換型としてもよい。
【００２３】
前記蓋４ｉの中央付近には無数の孔が穿設されており、スピーカー４ｊの役割をしている。このスピーカー４ｊにより音声再生装置４ｌから直接発せられる音を聞くことができ、前記スピーカー４ｅと併せることで耳の遠い年配者などにとってもはっきりとお経を聞くことが出来る。
【００２４】
尚、前記脚４ｂはそれぞれ回動させるとができ前記蓋４ｉを取り外す場合はそれぞれの脚４ｂを１８０度回転させることで蓋４ｉを取り外すことが出来る。
【００２５】
図５に示すように、前記蓋４ｉには孔４ｋが穿設されており、この孔４ｋよりコード４ｈが伸びてスイッチ４ｇに接続されている。コード４ｈの他端は前記音声再生装置４ｌに接続されており、スイッチ４ｇを入れることで音声再生装置４ｌが駆動し、お経が再生される。
【００２６】
尚、土台部４の上面中央に設けられた軸４ｄが前記蓮華座３の底面に穿設されている孔に挿入されることで土台部４と蓮華座３が接続される。
【００２７】
前記光背５は上端ば尖った形状をしており、前記蓮華座３に取り付けるために下部に突起５ａを形成している。尚、光背５の正面側には模様が施されており、本考案の場合は大仏であるため大仏に合った模様としたが、前述のように仏像本体２を大仏ではなくお釈迦様等の別の形状とした場合はそれに合った模様を施しても良い。
【００２８】
図１、図３及び図４に示すように、前記写真立て６は背面に突起６ｄを備えた写真立て土台６ａを下部に連設しており、故人の遺影などを立てることが出来る。
【００２９】
図３に示したように、写真立て６の後面部分は左右にスリット６ｂを設けて幅広に形成しており、このスリット６ｂに写真（遺影）６ｃの左右端を挿通することで写真（遺影）６ｃが反り返って外れたりせず勝手に外れることがない。
【００３０】
尚、写真立て土台６ａの背面に形成されている突起６ｄは前記下土台４ａの孔４ｃに挿通されることで写真立て６と土台部４は連結される。また、前記写真立て６に経本を置くこともでき、経本の大きさが合わない場合には別途お経立てを用意してもよい。
【実施例２】
【００３１】
図７は本考案である仏像の第２実施例の正面図である。図７に示すように、本考案である仏像１ａは第１実施例で示した仏像１とほぼ同じ形状をしている。
【００３２】
即ち、仏像１ａは、上面中央に仏像本体２と上面の前側にセンサー３ｂとスイッチ３ｅを備え外周面に無数の装飾３ａを施した円柱形状の蓮華座３と、
内部に音声再生装置４ｌを備え上面に複数のスピーカー４ｅを取付け下面に複数の脚４ｂを備え更に側面に孔４ｃを穿設した円柱形状の下土台４ａを間隙４ｆを設けて下部に連設し上面中央に前記蓮華座３の下面と接続するための軸４ｄを備えた土台部４と、
前記蓮華座３の上面後部に連結するための突起５ａを下面中央に形成した光背５と、
前記土台部４の孔４ｃに挿通する突起６ｄを形成した写真立て土台６ａを下部に連設し写真の左右辺を挿通するためのスリット６ｂを形成した写真立て６とからなる。
【００３３】
前記仏像１との違いは土台部４内の音声再生装置４ｌにコード４ｈを介して取り付けられていたスイッチ４ｇの代わりに蓮華座３の上面前側にスイッチ３ｅを設けた所である。
【００３４】
仏像１ａでは蓮華座３の前記スイッチ３ｅを入れることによりセンサー３ｂが稼働状態となりお経再生準備状態となる。それ以外の構造や形状については同じである。
【００３５】
尚、仏像本体２の形状、蓮華座３の装飾３ａ及び光背５の模様についても信仰対象に合わせた仏像本体２の形状、装飾３ａ、光背５の模様とすることが出来、同時に音声再生装置４ｌに記録されているお経も変更することが出来る。
【図面の簡単な説明】
【００３６】
【図１】本考案である仏像の正面図である。
【図２】本考案である仏像の背面図である。
【図３】本考案である仏像の平面図である。
【図４】本考案である仏像の右分解側面図である。
【図５】本考案である仏像の底面図である。
【図６】本考案である仏像の土台部正面図である。
【図７】本考案である仏像の第２実施例の正面図である。
【符号の説明】
【００３７】
１      仏像
１ａ    仏像
２      仏像本体
３      蓮華座
３ａ    装飾
３ｂ    センサー
３ｃ    軸
３ｄ    孔
３ｅ    スイッチ
４      土台部
４ａ    下土台
４ｂ    脚
４ｃ    孔
４ｄ    軸
４ｅ    スピーカー
４ｆ    間隙
４ｇ    スイッチ
４ｈ    コード
４ｉ    蓋
４ｊ    スピーカー
４ｋ    孔
４ｌ    音声再生装置
５      光背
５ａ    突起
６      写真立て
６ａ    写真立て土台
６ｂ    スリット
６ｃ    写真
６ｄ    突起
【図１】
0003138554.tif 000003
【図２】
0003138554.tif 000004
【図３】
0003138554.tif 000005
【図４】
0003138554.tif 000006
【図５】
0003138554.tif 000007
【図６】
0003138554.tif 000008
【図７】
0003138554.tif 000009